(57)【要約】【課題】梱包バンドで箱体を結束する際の梱包材点数を削減し、かつコーナー部の保護作業とクランプ作業を容易化する。【解決手段】段ボール箱等の箱体を閉箱した後にその外周に巻かれる梱包バンドのためのクランプ具である。これは、箱体のコーナー部に装着される、Ｌ字状に交差する２内面を有するコーナー保護部と、そのコーナー保護部のＬ字状をなす先端から一体に延びる延長連結部と、その延長連結部の先端に一体に連結された、前記コーナー保護部に巻き掛けられた後の前記梱包バンドの両端部を締め付け状態に維持するクランプ部とを備える。そして、コーナー保護部、延長連結部及びクランプ部が樹脂の一体成形品とされる。【選択図】図２
2013116762.tif 000002
【特許請求の範囲】
【請求項１】
段ボール箱等の箱体を閉箱した後にその外周に巻かれる梱包バンドのためのクランプ具であって、
箱体のコーナー部に装着される、Ｌ字状に交差する２内面を有するコーナー保護部と、
そのコーナー保護部のＬ字状をなす先端から一体に延びる延長連結部と、
その延長連結部の先端に一体に連結された、前記コーナー保護部に巻き掛けられた後の前記梱包バンドの両端部を締め付け状態に維持するクランプ部とを備え、
前記コーナー保護部、延長連結部及びクランプ部が樹脂の一体成形品とされたことを特徴とする梱包バンド用クランプ具。
【請求項２】
前記クランプ部は、矩形状の枠部と、その枠部から突出する曲げ変形可能な接続部と、その接続部に接続されて前記梱包バンドを拘束するクランプ軸部とを備え、
そのクランプ軸部を前記接続部の曲げ変形により前記枠部に重ねた状態で、その枠部とクランプ軸部を通る前記梱包バンドが拘束され締め付け状態に維持されるとともに、前記枠部、接続部及びクランプ軸部が、前記コーナー保護部及び延長連結部とともに樹脂の一体成形品とされた請求項１に記載の梱包バンド用クランプ具。
【請求項３】
前記クランプ部は、矩形状の枠部と、その枠部の１辺から突出する曲げ変形可能な接続部と、その接続部に接続されて前記梱包バンドを拘束するクランプ軸部とを備え、そのクランプ軸部を前記接続部の曲げ変形により前記枠部に重ねた状態で、その枠部とクランプ軸部を通る前記梱包バンドが拘束され締め付け状態に維持されるとともに、前記クランプ部における枠部の、前記接続部が接続された１辺とは直角状に交差する１辺に前記コーナー保護部からの延長連結部が連結され、前記枠部、接続部及びクランプ軸部が、前記コーナー保護部及び延長連結部とともに樹脂の一体成形品とされた請求項１又は２に記載の梱包バンド用クランプ具。
【請求項４】
前記クランプ部は、矩形状の枠部と、その枠の１辺から突出する曲げ変形可能な線状又は帯状の接続部と、その接続部に接続されて前記梱包バンドを拘束するクランプ軸部とを備え、前記線状又は帯状の接続部は互いに平行に２組形成され、それらの接続部に前記クランプ軸が１本ずつ都合２本並列に接続され、それらのクランプ軸部を前記接続部の曲げ変形により前記枠部に重ねた状態で、各クランプ軸部にそれぞれ巻き掛けられかつ隣接する前記枠部との間に挟まれる前記梱包バンドの端部がそれぞれ締め付け状態に維持されるとともに、前記クランプ部における枠部の、前記線状又は帯状の接続部が接続された１辺とは直角状に交差する１辺に前記コーナー保護部からの延長連結部が連結され、前記枠部、接続部及びクランプ軸部が、前記コーナー保護部及び延長連結部とともに樹脂の一体成形品とされた請求項１又は２に記載の梱包バンド用クランプ具。
【請求項５】
前記延長連結部は曲げ変形可能な柔軟性を備え、その曲げ変形により前記コーナー保護部に対するクランプ部の姿勢が変更可能である請求項１ないし４のいずれか１項に記載の梱包バンド用クランプ具。
【請求項６】
前記コーナー保護部は２つの板部がＬ字状に交わり前記箱体のコーナー部に対面する２内面が形成されたものであり、そのコーナー保護部から延びる延長連結部は、２つの板部の一方の先端縁からその板部の延長方向に複数並列して線状又は帯状に延び、それらの先端が前記クランプ部における枠部の１辺に連結されている請求項２ないし５のいずれか１項に記載の梱包バンド用クランプ具。
【請求項７】
前記コーナー保護部は２つの板部がＬ字状に交わり前記箱体のコーナー部に対面する２内面が形成されたものであり、そのコーナー保護部のＬ字状の外面には、前記梱包バンドを通すガイド部が該バンドの幅方向の動きを規制するように形成され、その延長上に前記延長連結部を介して前記クランプ部が位置する請求項１ないし５のいずれか１項に記載の梱包バンド用クランプ具。
【請求項８】
前記コーナー保護部のＬ字状の２内面の１面には、その内面から突出して箱体に刺さる突起が形成されている請求項１ないし６のいずれか１項に記載の梱包バンド用クランプ具。
【発明の詳細な説明】
【技術分野】
【０００１】
この発明は、段ボール箱等の箱体を閉箱した後にその外周に巻かれる梱包バンドのためのクランプ具に関する。
【背景技術】
【０００２】
段ボール箱等の箱体に内容物を収容してフラップを閉じ閉箱した後、例えばポリプロピレン（ＰＰ）製の梱包バンド（樹脂バンド）をダンボール箱に巻き掛けて締め付け、その締め付け状態を維持するためにクランプ具（ストッパー）が使用される。また樹脂バンドが段ボール箱のコーナー部に食い込んでそこをへこませると、開梱後に見栄えが悪く商品価値が落ちるため、箱体のコーナー部に装着するＬ字状の保護具が使用される。
【０００３】
特許文献１は、梱包バンドの端部を挿通させて緩まないようにする梱包用巻き締め具を開示する。特許文献２は多数形成された個々の部分を分離して箱体のコーナー部に装着する結束用コーナー保護具を開示する。
【先行技術文献】
【特許文献】
【０００４】
【特許文献１】特開２００９−２４８９９５号公報
【特許文献２】特開２００４−１４２７４５号公報
【発明の概要】
【発明が解決しようとする課題】
【０００５】
箱体の梱包バンドで梱包する際に、コーナー部を保護しようとすれば、例えば特許文献１のような巻き締め具（クランプ具）と、特許文献２のようなコーナー保護具を用意し、まず箱体のコーナー部（バンド１周で４コーナー、上部のみなら２コーナー）にＬ字状のコーナー保護具をあてがい、それから梱包バンドを巻いた後に、巻き締め具でバンドを結束して締め付け状態を維持する。これは、コーナー保護具とクランプ具を別々に扱わねばならず煩雑な作業であるとともに、これら２つの物品の調達・管理も面倒である。
【課題を解決するための手段及び発明の効果】
【０００６】
この発明は、段ボール箱等の箱体を閉箱した後にその外周に巻かれる梱包バンドのためのクランプ具であって、  箱体のコーナー部に装着されるＬ字状に交差する２内面を有するコーナー保護部と、そのコーナー保護部のＬ字状をなす先端から一体に延びる延長連結部と、その延長連結部の先端に一体に連結された、前記コーナー保護部に巻き掛けられた後の前記梱包バンドの両端部を締め付け状態に維持するクランプ部とを備え、前記コーナー保護部、延長連結部及びクランプ部が樹脂の一体成形品とされたことを特徴とする。
【０００７】
このように、コーナー保護部とクランプ部が延長接続部を介して樹脂の一体成形品とされたことで、コーナー保護機能付きクランプ具、あるいはクランプ機能付コーナー保護具となり、ひとつの物ありながら、コーナー保護具とクランプ具の２機能を同時に達成する。よって、クランプ具とコーナー保護具を別々に用意する場合に比べて調達や管理が容易である。また作業上も、別々の物を用いる場合と異なり、コーナー保護部とクランプ部の両機能一体品のため、両機能部の位置関係が一義的に定まるから、位置決め等が簡単で梱包バンドの結束作業がしやすくなる。
【０００８】
この発明は、少なくとも次に示す複数の実施形態を有する。
【０００９】
前記クランプ部は、矩形状の枠部と、その枠部から突出する曲げ変形可能な接続部と、その接続部に接続されて前記梱包バンドを拘束するクランプ軸部とを備え、そのクランプ軸部を前記接続部の曲げ変形により前記枠部に重ねた状態で、その枠部とクランプ軸部を通る前記梱包バンドが拘束され締め付け状態に維持されるとともに、前記枠部、接続部及びクランプ軸部が、前記コーナー保護部及び延長連結部とともに樹脂の一体成形品とされる。
【００１０】
前記クランプ部は、矩形状の枠部と、その枠部の１辺から突出する曲げ変形可能な接続部と、その接続部に接続されて前記梱包バンドを拘束するクランプ軸部とを備え、そのクランプ軸部を前記接続部の曲げ変形を伴って前記枠部に重ねた状態で、その枠部とクランプ軸部を通る前記梱包バンドが拘束され締め付け状態に維持されるとともに、前記クランプ部における枠部の、前記接続部が接続された１辺とは直角状に交差する１辺に前記コーナー保護部からの延長連結部が連結され、前記枠部、接続部及びクランプ軸部が、前記コーナー保護部及び延長連結部とともに樹脂の一体成形品とされる。
【００１１】
前記クランプ部は、矩形状の枠部と、その枠の１辺から突出する曲げ変形可能な線状又は帯状の接続部と、その接続部に接続されて前記梱包バンドを拘束するクランプ軸部とを備え、前記線状又は帯状の接続部は互いに平行して２組形成され、それらの接続部に前記クランプ軸が１本ずつ都合２本並列に接続され、それらのクランプ軸部を前記接続部の曲げ変形により前記枠部に重ねた状態で、各クランプ軸部にそれぞれ巻き掛けられかつ隣接する前記枠部との間に挟まれる前記梱包バンドの端部がそれぞれ締め付け状態に維持されるとともに、前記クランプ部における枠部の、前記接続部が接続された１辺とは直角状に交差する１辺に前記コーナー保護部からの延長連結部が連結され、前記枠部、接続部及びクランプ軸部が、前記コーナー保護部及び延長連結部とともに樹脂の一体成形品とされる。
【００１２】
前記延長連結部は曲げ変形可能な柔軟性を備え、その曲げ変形により前記コーナー保護部に対するクランプ部の姿勢が変更可能である。
【００１３】
前記コーナー保護部は２つの板部がＬ字状に交わり前記箱体のコーナー部に対面する２内面が形成されたものであり、そのコーナー保護部から延びる曲げ変形可能な延長連結部は、２つの板部の一方の先端縁からその板部の延長方向に複数並列して線状又は帯状に延び、それらの先端が前記クランプ部における枠部の１辺に連結される。
【００１４】
前記コーナー保護部は２つの板部がＬ字状に交わり前記箱体のコーナー部に対面する２内面が形成されたものであり、そのコーナー保護部のＬ字状の外面には、前記梱包バンドが通るガイド部が梱包バンドの幅方向の移動を規制するように形成されており、その延長上に前記延長連結部を介して前記クランプ部が位置する。
【００１５】
前記コーナー保護部のＬ字状の２内面の少なくとも１面には、その内面から突出して箱体に刺さる突起が形成される。
【図面の簡単な説明】
【００１６】
【図１】この発明のクランプ具を使用した梱包形態の一例を示す斜視図。
【図２】そのクランプ具の斜視図。
【図３】その平面図。
【図４】その背面図。
【図５】その側面図。
【図６】図２のＡ視断面図。
【図７】図２のＢ視断面図。
【図８】図２のＣ視断面図。
【図９】図２のＤ視断面図。
【図９−２】図１０のＥ視断面図。
【図１０】図３のクランプ軸部の拡大図。
【図１１】図１０のＦ視断面図。
【図１２】図２のクランプ具の使用時の形態を示す斜視図。
【図１３】図１２に続くクランプ状態の斜視図。
【図１４】図１３の平面図。
【図１５】図１３の正面図。
【図１６】コーナー保護部の変形例を示す図。
【図１７】コーナー保護部に刺し込み突起を形成した態様の側面図。
【図１８】クランプ軸部を枠部の両側に形成した態様の斜視図。
【図１９】図１８のクランプ軸部を折りたたんだ状態の平面図。
【図２０】固定式クランプ軸部を枠部に一体成形した態様の平面図。
【図２１】クランプ軸部と枠部をつなぐ接続部を線状に長く形成した態様の平面及び側面図。
【図２２】延長連結部の変形例を示す平面図。
【図２３】その側面図。
【発明を実施するための形態】
【００１７】
以下、本発明の実施の形態を図面に示す実施例を参照しつつ説明する。
図１に示すように、この発明に係る梱包バンド用クランプ具１は、内容物が収容された段ボール箱等の箱体Ｃがそのフラップを閉じて閉箱された状態で、箱体Ｃに巻き掛けられた梱包バンドＢの両端部をクランプするために使用され、かつバンドＢのクランプ位置の近傍の、箱体Ｃのコーナー部を保護する機能も併せ持つ。
【００１８】
まず全体の概略を説明する。図２に示すように、このクランプ具１はコーナー保護機能付き複合クランプ具であって、箱体Ｃのコーナー部に装着されるＬ字状に交差する２内面を有するコーナー保護部２と、そのコーナー保護部２のＬ字状をなす先端から一体に延びる延長連結部４と、その延長連結部４の先端に一体に連結されたクランプ部３とを備え、クランプ部３はコーナー保護部２に巻き掛けられた後の梱包バンドＢの両端部を締め付け状態に維持する。それらコーナー保護部２、延長連結部４及びクランプ部３は樹脂の一体成形品とされる。
【００１９】
クランプ部３は、矩形状の枠部５と、その枠部５から突出する曲げ変形可能な線状又は帯状の接続部６と、その接続部６に接続されて梱包バンドＢを拘束するクランプ軸部７とを備える。そのクランプ軸部７を線状又は帯状の接続部６を折り曲げることにより枠部５に重ねた状態で（図１２〜図１５参照）、その枠部５とクランプ軸部７を通る梱包バンドＢが拘束され締め付け状態に維持される。
【００２０】
図１〜図５に示す実施例では、矩形状の枠部５の１辺から突出する曲げ変形可能な線状又は帯状の接続部６が、互いに平行に２組形成され、それらの２組の接続部６にクランプ軸７が１本ずつ、都合２本並列に接続される。それらのクランプ軸部７を接続部６の曲げ変形により（折り曲げることにより）、枠部５に重ねた状態で、各クランプ軸部７にそれぞれ巻き掛けられかつ隣接する枠部５との間に挟まれる梱包バンドＢの端部が、それぞれ締め付け状態に維持される。またクランプ部３における枠部５の、接続部６が接続された１辺とは直角状に交差する１辺に、コーナー保護部２からの延長連結部４が連結される。これら枠部５、接続部６及びクランプ軸部７が、コーナー保護部２及び延長連結部４とともに樹脂の一体成形品とされる。
【００２１】
コーナー保護部は２つの板部２ａ、２ｂがＬ字状に交わり箱体Ｃのコーナー部に対面する２内面が形成されたものである。そのコーナー保護部２から延びる延長連結部４は、２つの板部のうちの一方の板部２ａの先端縁から、その板部２ａの延長方向に複数並列して線状又は帯状に延び（この例では板部２ａの両側部に対応して２組）、それら延長連結部４の先端が、クランプ部３における枠部５の１辺に連結されている。この線状又は帯状の延長連結部４は、図５に示すように、曲げ変形可能な柔軟性を有しており、これによりコーナー保護部２に対するクランプ部３（枠部５）の角度を変更することができ、そのため例えばバンド端部を枠体５に通しやすい等の利点がある。
【００２２】
コーナー保護部２のＬ字状の外面には、梱包バンドＢのためのガイド部として、バンドが通る浅い扁平なガイド溝１０がＬ字状の外面に沿って帯状に形成されており、その延長上に延長連結部４を介してクランプ部３が位置する。このガイド溝１０に沿ってバンドＢが巻かれることにより、バンドＢの幅方向の移動が規制され、コーナー保護部２からバンドＢがずれ落ちにくい。
【００２３】
図６〜図１１を参照してさらに具体的に説明する。
図６は、コーナー保護部２のバンド巻き付け方向に形成された上記ガイド溝１０を示しており、バンドＢの幅より広い幅で、バンドＢの厚みにほぼ相当する深さを有する。図７は、延長連結部４のコーナー保護部２への接合部分を示し、２本で１組の線状ないし狭い帯状の延長連結部４が２組形成され、コーナー保護部２の板部２ａに対しその厚み内に収まるように接合されている。図８は、２組の延長連結部４の、枠部５への接合部分を示し、矩形状の枠部５における１辺の外端面に対し、その厚みの中間領域に（特に厚みの中央部分に）接合されている。
【００２４】
図９は、クランプ部３における接続部６の、枠部５に対する接合部分を示し、各接続部６は２本の線状又は狭い帯状部分を１組として、２組の接続部６が枠部５と各クランプ軸部７をつなぎ、枠部５の１辺の外端面に対してその厚みの中間部に接合される。また、これらの接続部６は、図９−２に示すように各クランプ軸部７の端面に対し、その端面の幅及び厚さ内の中間部に接合箇所を有する。このように各クランプ軸部７が２本（又は複数）の線状又は帯状部分を１組とする接続部６により枠部５に接続されることで、枠部５側へ折りたたむように曲げ変形しやすく、かつ一定の強度もあり、さらにクランプ軸部７の軸周りのねじれに対する姿勢保持効果もある。
【００２５】
図１０に示すように、各クランプ軸部７はバンドＢが巻き掛けられる軸本体８と、その両端に形成された幅広の端部９（図１１も参照）を備え、両端の幅広の端部９がバンドＢの外れを防止するフランジとして機能する。逆に言えば、クランプ軸部７の両側縁に溝が存在するとみることもできる。その一方の端部９と枠部５が接続部６でつながっている。
【００２６】
なお、前記コーナー保護部２と枠部５が、例えば２本１組の延長連結部４によりつながれていることで、樹脂量を節約しつつ２箇所連結によりコーナー保護部２と枠部５の捩じれ強度が高められる。
【００２７】
次に、図１及び図１２〜図１５を参照して、以上のコーナー保護部付きクランプ具１の使用方法を説明する。図１に示すように、コーナー保護部２を段ボール箱等の箱体Ｃの上部片側のコーナー部に当て、上部の他のコーナー部には、単純な公知のＬ字状のコーナー保護具１１を当てた状態で、梱包バンドＢをそれらコーナー保護部２及びコーナー保護具１１を通るように箱体Ｃの外周に巻く。そして図１２に示すように、上記クランプ具１の枠部５に対し接続部６を折り曲げ、２本のクランプ軸部７をある程度起こした状態で、梱包バンドＢのバンド端部Ｂ１、Ｂ２をそれぞれのクランプ軸部７に絡める。例えばバンド端部Ｂ１、Ｂ２を各クランプ軸部７の下からそれぞれ反対向きにくぐらせて上に回し、その状態で各クランプ軸部７を枠部５に倒す。図１３〜図１５に示すように、上に回したバンド端部Ｂ１、Ｂ２を各クランク軸部７と枠部５との隙間を下側にくぐらせるようにして、その下側端部を引き締める。これにより各クランプ軸部７が引き寄せられて枠部５との隙間が狭まり、ここでバンド端部Ｂ１、Ｂ２が狭圧されてクランプ（ロック）され、バンド端部Ｂ１、Ｂ２は引締め状態（締め込み状態）に維持される。このようなクランプ作業で、図５に示したように柔軟な延長連結部４の曲げ変形を伴って、枠部５を箱体Ｃの上面から離れるように持ち上げ、上側へ起した状態で上記作業を行うことが可能であり、例えばバンドＢの巻付け・取回し等を容易に行い得る。
【００２８】
以上のようなクランプ作業が完了すれば、そのとき図１に示すように、この枠部５に近接する箱体Ｃの上部コーナー部にバンドＢが食い込みことが、コーナー保護部２によって防止される。そして、このコーナー保護機能付き梱包バンド用クランプ具１を箱体Ｃに装着することで自動的に、近接するひとつのコーナー部へのバンドＢの食い込みが回避され、かつそのコーナー部へのコーナー保護部２の装着が、クランプ部３（枠部５）の位置決めにもなる。こうしたコーナー保護部２とクランプ部３との相互の補完作用により、バンドＢの両端部を結束してクランプする及びコーナー部を保護するという複合機能以上の相乗効果がある。なお、その複合機能により梱包材の部材点数が減少し、コストや管理の面で優位性があることはもちろんである。
【００２９】
変形例を以下に示す。図１６に示すように、バンドＢのためのガイド部として、前記ガイド溝に代え、ガイド凸部１２をバンド幅に対応して（またはバンド幅より一定以上広い間隔で）互いに平行に形成し、ガイド凸部１２は（Ａ）のように間欠的であるか、（Ｂ）のように連続的であるかは任意であるが、このようなガイド凸部１２の間にバンドＢを通し、その幅方向の移動を規制ことができる。
【００３０】
図１７に示すように、コーナー保護部２のＬ字状の内面の少なくとも１面には、その内面から突出して段ボール箱等の箱体Ｃに刺さる刺し込み突起１４が形成される。その突起１４が段ボール箱Ｃの例えばフラップに刺さることにより、後で外観的にはほとんど刺し痕が目立たない状態で、コーナー保護部２を段ボール箱のコーナー部に仮固定でき、バンドＢを巻き付けるときもずれにくいから、後の作業がやりやすくなる。
【００３１】
図１８に示すように、枠部５において、バンドＢの巻き付け方向と平行な互いに対向する２辺に、それぞれ接続部６及び接続部１６を介して、クランプ軸部７及びクランプ軸部１７を反対向きに突出するようにつなぐこともできる。それら接続部６、１６を互いに逆向きに折り曲げることにより、図１９に示すように、２本のガイド軸部７、１７が並列して枠部５に重なる状態となり、図１２〜図１５と実質的に同等のクランプ機能が奏される。
【００３２】
図１２〜１５又は図１９のように、ガイド軸部７等が枠部５に対して展開状態で一体成形され、接続部６等でそれらを折り曲げて枠部５に重ねる形態によれば、バンドＢの端部Ｂ１、Ｂ２を絡めるのも、枠部５との隙間に通すのも容易に行い得る。ただし、この形態に限られることなく、図２０のように、２本の固定式のクランプ軸部１８が枠部１５と一体に形成されてもよく、この場合は、各クランプ軸部１８と枠部１５との間に固定的な隙間１９が生じ、バンド端部を各クランプ軸部１８の内側を下から上に通した後、これを反転して各隙間１９に上から下に通してそれぞれ引き締めれば、双方のバンド端部を各隙間１９に挟持してクランプすることができる。
【００３３】
図２１に示すように、枠部５とクランプ軸部７を比較的に長い紐状の接続部２１でつなぎ、クランプ軸部７を枠部５側へ重ねる際に、接続部２１がループ状に湾曲変形するようにしてもよい。この場合は枠部５に対しクランプ軸部７にある程度の自由度が生じる。
【００３４】
図２２に示すように、コーナー保護部２からクランプ部３（枠部５）に至る延長連結部２４を、Ｌ字板状の上側の板部２ａを延長した形態で板状に形成することもできる。この場合は、コーナー保護部２と同質の硬質樹脂によりこの延長連結部２４が実質上曲げ変形しない前提となり、クランプ部３とコーナー保護部２との一体性が高まる。その場合、（Ａ）のように板部２ａの幅より枠部５の幅が狭い場合は延長連結部２４が先細りの形態となり、同じ幅の場合は（Ｂ）のように、延長連結部２４とコーナー保護部２の板部２ａは同幅で連続的につながり、両者の境界は明確には表れない。更に図２３に示すように、側面からみて、コーナー保護部２の板部２ａ、延長連結部２４及び枠部５の各肉厚がほぼ等しい場合も、延長連結部２４の境界は直ちに認識できないが、この場合でも延長連結部２４は存在する。なお、図２２（Ｂ）や図２３の形態は見方を変えれば、クランプ部３が延長されてその端部にＬ字状のコーナー保護部２が付加された形態、あるいは端部にＬ字状部を備えたクランプ部３とも言える。
【００３５】
また、クランプ軸部７は断面が角形の板状のものであったが、円形断面、楕円断面等の丸い軸状体、三角断面等の三角柱状のもの等の適宜採用できる。更に、クランプ軸部の両端にフランジ状の端部を形成することは必須ではなく、単純な同幅、同形の軸でも、バンド端部は枠部５の隙間で挟持され、幅方向の動きも枠部５で規制できるから、使用可能である。また、図２等に示す延長連結部４や接続部６を線状又は帯状の２本１組で形成することに限らず、所定幅の帯状体が１本単独で又はそれが２本等複数組存在する延長連結部４、又は接続部６としても良い。
【００３６】
以上説明した実施形態及びそれを構成する部材、部分の形態は、技術的に矛盾を生じない限り、自由に組み合させて実施することができる。逐一例示はないが、例えば図２０のクランプ部１３によって、図示したすべての形態におけるクランプ部３を置き換えることができ、また図１６のガイド凸部１２や、図１７の刺し込み突起１４等も、全ての実施形態において付加又は置換した形態で実施可能である。さらに、本発明の梱包バンド用クランプ具全体を柔軟な軟質材料で一体形成しても良い。
【符号の説明】
【００３７】
１  梱包バンド用クランプ具
２  コーナー保護部
３  クランプ部
４、２４  延長連結部
５、１５  枠部
６、１６  接続部
７、１７、１８  クランプ軸部
１０  ガイド溝（ガイド部）
１２  ガイド凸部（ガイド部）
１４  突起
Ｃ  箱体
Ｂ  梱包バンド
Ｂ１、Ｂ２  バンド端部
【図１】
2013116762.tif 000003
【図２】
2013116762.tif 000004
【図３】
2013116762.tif 000005
【図４】
2013116762.tif 000006
【図５】
2013116762.tif 000007
【図６】
2013116762.tif 000008
【図７】
2013116762.tif 000009
【図８】
2013116762.tif 000010
【図９】
2013116762.tif 000011
【図９−２】
2013116762.tif 000012
【図１０】
2013116762.tif 000013
【図１１】
2013116762.tif 000014
【図１２】
2013116762.tif 000015
【図１３】
2013116762.tif 000016
【図１４】
2013116762.tif 000017
【図１５】
2013116762.tif 000018
【図１６】
2013116762.tif 000019
【図１７】
2013116762.tif 000020
【図１８】
2013116762.tif 000021
【図１９】
2013116762.tif 000022
【図２０】
2013116762.tif 000023
【図２１】
2013116762.tif 000024
【図２２】
2013116762.tif 000025
【図２３】
2013116762.tif 000026
【手続補正書】
【提出日】平成24年4月10日(2012.4.10)
【手続補正１】
【補正対象書類名】特許請求の範囲
【補正対象項目名】全文
【補正方法】変更
【補正の内容】
【特許請求の範囲】
【請求項１】
段ボール箱等の箱体を閉箱した後にその外周に巻かれる梱包バンドのためのクランプ具であって、
箱体のコーナー部に装着される、Ｌ字状に交差する２内面を有するコーナー保護部と、
そのコーナー保護部のＬ字状をなす先端から一体に延びる延長連結部と、
その延長連結部の先端に一体に連結された、前記コーナー保護部に巻き掛けられた後の前記梱包バンドの両端部を締め付け状態に維持するクランプ部とを備え、
前記コーナー保護部、延長連結部及びクランプ部が樹脂の一体成形品とされ、
前記クランプ部は、矩形状の枠部と、その枠部から突出する曲げ変形可能な接続部と、その接続部に接続されて前記梱包バンドを拘束するクランプ軸部とを備え、
そのクランプ軸部を前記接続部の曲げ変形により前記枠部に重ねた状態で、その枠部とクランプ軸部を通る前記梱包バンドが拘束され締め付け状態に維持されるとともに、前記枠部、接続部及びクランプ軸部が、前記コーナー保護部及び延長連結部とともに樹脂の一体成形品とされ、
前記コーナー保護部は２つの板部がＬ字状に交わり前記箱体のコーナー部に対面する２内面が形成されたものであり、そのコーナー保護部から延びる延長連結部は、２つの板部の一方の先端縁からその板部の延長方向に複数並列して線状又は帯状に延び、それらの先端が前記クランプ部における枠部の１辺に連結されていることを特徴とする梱包バンド用クランプ具。
【請求項２】
前記クランプ部は、矩形状の枠部と、その枠部の１辺から突出する曲げ変形可能な接続部と、その接続部に接続されて前記梱包バンドを拘束するクランプ軸部とを備え、そのクランプ軸部を前記接続部の曲げ変形により前記枠部に重ねた状態で、その枠部とクランプ軸部を通る前記梱包バンドが拘束され締め付け状態に維持されるとともに、前記クランプ部における枠部の、前記接続部が接続された１辺とは直角状に交差する１辺に前記コーナー保護部からの延長連結部が連結され、前記枠部、接続部及びクランプ軸部が、前記コーナー保護部及び延長連結部とともに樹脂の一体成形品とされた請求項１に記載の梱包バンド用クランプ具。
【請求項３】
前記延長連結部は曲げ変形可能な柔軟性を備え、その曲げ変形により前記コーナー保護部に対するクランプ部の姿勢が変更可能である請求項１又は２に記載の梱包バンド用クランプ具。
【請求項４】
前記コーナー保護部のＬ字状の外面には、前記梱包バンドを通すガイド部が該バンドの幅方向の動きを規制するように形成され、その延長上に前記延長連結部を介して前記クランプ部が位置する請求項１ないし３のいずれか１項に記載の梱包バンド用クランプ具。
【請求項５】
前記コーナー保護部のＬ字状の２内面の１面には、その内面から突出して箱体に刺さる突起が形成されている請求項１ないし４のいずれか１項に記載の梱包バンド用クランプ具。
【手続補正２】
【補正対象書類名】明細書
【補正対象項目名】０００６
【補正方法】変更
【補正の内容】
【０００６】
この発明は、段ボール箱等の箱体を閉箱した後にその外周に巻かれる梱包バンドのためのクランプ具であって、
箱体のコーナー部に装着される、Ｌ字状に交差する２内面を有するコーナー保護部と、
そのコーナー保護部のＬ字状をなす先端から一体に延びる延長連結部と、
その延長連結部の先端に一体に連結された、前記コーナー保護部に巻き掛けられた後の前記梱包バンドの両端部を締め付け状態に維持するクランプ部とを備え、
前記コーナー保護部、延長連結部及びクランプ部が樹脂の一体成形品とされ、
前記クランプ部は、矩形状の枠部と、その枠部から突出する曲げ変形可能な接続部と、その接続部に接続されて前記梱包バンドを拘束するクランプ軸部とを備え、
そのクランプ軸部を前記接続部の曲げ変形により前記枠部に重ねた状態で、その枠部とクランプ軸部を通る前記梱包バンドが拘束され締め付け状態に維持されるとともに、前記枠部、接続部及びクランプ軸部が、前記コーナー保護部及び延長連結部とともに樹脂の一体成形品とされ、
前記コーナー保護部は２つの板部がＬ字状に交わり前記箱体のコーナー部に対面する２内面が形成されたものであり、そのコーナー保護部から延びる延長連結部は、２つの板部の一方の先端縁からその板部の延長方向に複数並列して線状又は帯状に延び、それらの先端が前記クランプ部における枠部の１辺に連結されていることを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１３
【補正方法】削除
【補正の内容】